(57)【要約】【課題】被検体内部を照明する照明部を実装する照明基板の開口部に、この被検体内部の画像を撮像部の受光面に結像する光学ユニットのレンズ枠を容易に挿入できること。【解決手段】本発明にかかるカプセル型医療装置は、被検体内部の画像を固体撮像素子５，８の受光面にそれぞれ結像する光学ユニット４，７と、光学ユニット４，７の各レンズ枠４ｄ，７ｄを挿入する開口部がそれぞれ形成された照明基板１９ａ，１９ｆと、を備える。レンズ枠４ｄ，７ｄは、上端部が先細りしたテーパ状の外形を有し、この先細りした上端部から照明基板１９ａ，１９ｆの各開口部にそれぞれ挿入される。【選択図】        図１
2008246147.tif 000002
【特許請求の範囲】
【請求項１】
被検体内部に導入され、前記被検体内部を照明する照明部と該照明部が照明した前記被検体内部の画像を撮像する撮像部とを有するカプセル型医療装置において、
前記照明部が照明した前記被検体内部の画像を前記撮像部の受光面に結像するレンズ群と該レンズ群を保持するレンズ枠とを有する光学ユニットと、
前記レンズ枠を挿入する開口部が形成され、前記照明部を実装する照明基板と、
を備え、
前記レンズ枠は、一端部が先細りしたテーパ状の外形を有し、先細りした前記一端部から前記照明基板の開口部に挿入されることを特徴とするカプセル型医療装置。
【請求項２】
前記照明基板は、外周の一部に延出した折り曲げ部を有し、前記折り曲げ部を折り曲げつつ、前記レンズ枠に前記開口部を近付ける方向に回転し、
前記レンズ枠は、前記折り曲げ部を折り曲げつつ回転する前記照明基板と前記一端部との接触を回避しつつ前記開口部に挿入される前記テーパ状の外形を有することを特徴とする請求項１に記載のカプセル型医療装置。
【請求項３】
前記レンズ枠は、前記折り曲げ部に対して遠方側を傾斜させた前記テーパ状の外形を有することを特徴とする請求項１または２に記載のカプセル型医療装置。
【請求項４】
被検体内部に導入され、前記被検体内部を照明する照明部と該照明部が照明した前記被検体内部の画像を撮像する撮像部とを有するカプセル型医療装置において、
前記照明部が照明した前記被検体内部の画像を前記撮像部の受光面に結像するレンズ群と該レンズ群を保持するレンズ枠とを有する光学ユニットと、
外周の一部に延出した折り曲げ部と、前記レンズ枠を挿入可能な開口を前記折り曲げ部に対して遠方側に拡開した開口部とが形成され、前記照明部を実装する照明基板と、
を備え、
前記照明基板は、前記折り曲げ部を折り曲げつつ、前記レンズ枠に前記開口部を近付ける方向に回転し、
前記開口部は、前記折り曲げ部を折り曲げつつ回転する前記照明基板と前記レンズ枠の上端部との接触を回避しつつ前記レンズ枠を挿入されることを特徴とするカプセル型医療装置。
【請求項５】
前記照明基板は、フレキシブル回路基板であることを特徴とする請求項１〜４のいずれか一つに記載のカプセル型医療装置。
【発明の詳細な説明】
【技術分野】
【０００１】
本発明は、患者等の被検体の臓器内部に導入され、この被検体の体内情報を取得するカプセル型医療装置に関するものである。
【背景技術】
【０００２】
従来から、内視鏡の分野において、撮像機能と無線通信機能とを有する飲込み型のカプセル型内視鏡が登場している。カプセル型内視鏡は、臓器内部の観察（検査）のために患者等の被検体の口から嚥下等によって臓器内部に導入され、その後、蠕動運動等によって臓器内部を移動しつつ、この被検体内部の画像（以下、体内画像という場合がある）を所定間隔、例えば０．５秒間隔で順次撮像し、最終的には被検体の体外に自然排出される。
【０００３】
このようにカプセル型内視鏡が被検体の臓器内部に存在する間、このカプセル型内視鏡によって撮像された体内画像は、無線通信によってカプセル型内視鏡から体外の受信装置に順次送信される。かかる受信装置は、この被検体によって携帯され、この被検体の臓器内部に導入されたカプセル型内視鏡が無線送信した体内画像群を受信し、受信した体内画像群を記録媒体に保存する。
【０００４】
かかる受信装置の記録媒体に保存された体内画像群は、ワークステーション等の画像表示装置に取り込まれる。画像表示装置は、この記録媒体を介して取得した被検体の体内画像群を表示する。医師または看護師等は、かかる画像表示装置に表示された体内画像群を観察することによって、この被検体を診断することができる。
【０００５】
このようなカプセル型内視鏡は、例えば特許文献１，２に開示されているように、透明な光学ドームを端部に備えたカプセル型筐体を有し、このカプセル型筐体の内部に、光学ドーム越しに臓器内部を照明するＬＥＤ等の照明部と、この照明部によって照明された臓器内部からの反射光を結像する光学ユニットと、この光学ユニットによって結像された臓器内部の画像（すなわち体内画像）を撮像するＣＣＤ等の撮像部とを備える。かかる照明部および撮像部は、リジッド回路基板（以下、単にリジッド基板という）である照明基板および撮像基板にそれぞれ実装された態様でカプセル型筐体に内蔵される。なお、かかる照明基板および撮像基板は、フレキシブル回路基板（以下、単にフレキ基板という）を介して電気的に接続される。
【０００６】
【特許文献１】特開２００５−１９８９６４号公報
【特許文献２】特開２００５−２０４９２４号公報
【発明の開示】
【発明が解決しようとする課題】
【０００７】
ところで、上述した従来のカプセル型内視鏡に内蔵される光学ユニットは、照明基板の照明部によって照明された臓器内部からの反射光を集光するレンズ群と、かかるレンズ群を保持する円筒状のレンズ枠とを有する。このレンズ枠によって保持されたレンズ群は、照明基板の照明部によって光学ドーム越しに照明された臓器内部の画像を撮像部の受光面に対して結像する。これを実現するために、このレンズ枠の下端部は、レンズ群の下端部と撮像部の受光面とを対向させる態様で撮像部に対して固定され、このように下端部に撮像部を固定したレンズ枠は、レンズ群の上端部と光学ドームとを対向させる態様で照明基板の開口部に挿入される。
【０００８】
しかしながら、上述した円筒状のレンズ枠を照明基板の開口部に挿入する際、照明基板の開口部とレンズ枠上端部の外周との位置合わせに手間がかかる場合が多く、かかる照明基板の開口部にレンズ枠を挿入し難いという問題点があった。
【０００９】
本発明は、上記事情に鑑みてなされたものであって、被検体内部を照明する照明部を実装する照明基板の開口部に、この被検体内部の画像を撮像部の受光面に結像する光学ユニットのレンズ枠を容易に挿入することができるカプセル型医療装置を提供することを目的とする。
【課題を解決するための手段】
【００１０】
上述した課題を解決し、目的を達成するために、本発明にかかるカプセル型医療装置は、被検体内部に導入され、前記被検体内部を照明する照明部と該照明部が照明した前記被検体内部の画像を撮像する撮像部とを有するカプセル型医療装置において、前記照明部が照明した前記被検体内部の画像を前記撮像部の受光面に結像するレンズ群と該レンズ群を保持するレンズ枠とを有する光学ユニットと、前記レンズ枠を挿入する開口部が形成され、前記照明部を実装する照明基板と、を備え、前記レンズ枠は、一端部が先細りしたテーパ状の外形を有し、先細りした前記一端部から前記照明基板の開口部に挿入されることを特徴とする。
【００１１】
また、本発明にかかるカプセル型医療装置は、上記の発明において、前記照明基板は、外周の一部に延出した折り曲げ部を有し、前記折り曲げ部を折り曲げつつ、前記レンズ枠に前記開口部を近付ける方向に回転し、前記レンズ枠は、前記折り曲げ部を折り曲げつつ回転する前記照明基板と前記一端部との接触を回避しつつ前記開口部に挿入される前記テーパ状の外形を有することを特徴とする。
【００１２】
また、本発明にかかるカプセル型医療装置は、上記の発明において、前記レンズ枠は、前記折り曲げ部に対して遠方側を傾斜させた前記テーパ状の外形を有することを特徴とする。
【００１３】
また、本発明にかかるカプセル型医療装置は、被検体内部に導入され、前記被検体内部を照明する照明部と該照明部が照明した前記被検体内部の画像を撮像する撮像部とを有するカプセル型医療装置において、前記照明部が照明した前記被検体内部の画像を前記撮像部の受光面に結像するレンズ群と該レンズ群を保持するレンズ枠とを有する光学ユニットと、外周の一部に延出した折り曲げ部と、前記レンズ枠を挿入可能な開口を前記折り曲げ部に対して遠方側に拡開した開口部とが形成され、前記照明部を実装する照明基板と、を備え、前記照明基板は、前記折り曲げ部を折り曲げつつ、前記レンズ枠に前記開口部を近付ける方向に回転し、前記開口部は、前記折り曲げ部を折り曲げつつ回転する前記照明基板と前記レンズ枠の上端部との接触を回避しつつ前記レンズ枠を挿入されることを特徴とする。
【００１４】
また、本発明にかかるカプセル型医療装置は、上記の発明において、前記照明基板は、フレキシブル回路基板であることを特徴とする。
【発明の効果】
【００１５】
本発明にかかるカプセル型医療装置は、照明部によって照明された被検体内部の画像を撮像部の受光面に結像する光学ユニットのレンズ枠の外形をテーパ状に形成し、かかる照明部を実装する照明基板に、このレンズ枠を挿入可能な開口部を形成し、このレンズ枠の先細りした一端部から照明基板の開口部にレンズ枠を挿入するように構成した。このため、この照明基板の開口部にレンズ枠を挿入する際に開口部とレンズ枠の上端部の外周とを容易に位置合わせすることができ、このレンズ枠の上端部と照明基板との接触を回避することができる。この結果、被検体内部を照明する照明部を実装する照明基板の開口部に、この被検体内部の画像を撮像部の受光面に結像する光学ユニットのレンズ枠を容易に挿入できるという作用効果を奏する。
【００１６】
また、本発明にかかるカプセル型医療装置は、光学ユニットのレンズ枠を挿入可能な開口を照明基板外周の折り曲げ部に対して遠方側に拡開した開口部を照明基板に形成し、この折り曲げ部を回転中心にしてレンズ枠に開口部を近付ける方向に照明基板を回転させて、この照明基板の開口部にレンズ枠を挿入するように構成した。このため、たとえ円筒状の外形を有するレンズ枠であっても、照明基板の開口部にレンズ枠を挿入する際に開口部とレンズ枠の上端部の外周とを容易に位置合わせすることができ、このレンズ枠の上端部と照明基板との接触を回避することができる。この結果、被検体内部を照明する照明部を実装する照明基板の開口部に、この被検体内部の画像を撮像部の受光面に結像する光学ユニットのレンズ枠を容易に挿入できるという作用効果を奏する。
【発明を実施するための最良の形態】
【００１７】
以下、図面を参照して、本発明にかかるカプセル型医療装置の好適な実施の形態を詳細に説明する。なお、以下では、被検体内部に導入され、被検体の体内情報の一例である体内画像を撮像する撮像機能と、撮像した体内画像を無線送信する無線通信機能とを有するカプセル型内視鏡を、本発明にかかるカプセル型医療装置の一例として説明するが、この実施の形態によって本発明が限定されるものではない。
【００１８】
（実施の形態１）
図１は、本発明の実施の形態１にかかるカプセル型内視鏡の一構成例を示す縦断面模式図である。図２は、図１に示す方向Ｆ側から光学ドーム越しに見たカプセル型内視鏡の内部構造を例示する模式図である。図３は、図１に示す方向Ｂ側から光学ドーム越しに見たカプセル型内視鏡の内部構造を例示する模式図である。
【００１９】
図１に示すように、本発明の実施の形態１にかかるカプセル型内視鏡１は、方向Ｆ側（前方側）の体内画像と方向Ｂ側（後方側）の体内画像とを撮像する２眼タイプのカプセル型内視鏡であり、被検体の臓器内部に導入可能な大きさに形成されたカプセル型の筐体２を有し、この筐体２の内部に、方向Ｆ側の体内画像を撮像するための撮像機能と、方向Ｂ側の体内画像を撮像するための撮像機能と、かかる撮像機能によって撮像された体内画像を外部に無線送信する無線通信機能とを備える。
【００２０】
詳細には、図１〜３に示すように、カプセル型内視鏡１は、筐体２の内部に、方向Ｆ側の被検体内部を照明する複数の発光素子３ａ〜３ｄを実装した照明基板１９ａと、発光素子３ａ〜３ｄによって照明された被検体内部の画像を結像する光学ユニット４と、光学ユニット４によって結像された被検体内部の画像（すなわち方向Ｆ側の体内画像）を撮像する固体撮像素子５を実装した撮像基板１９ｂと、を有する。また、カプセル型内視鏡１は、筐体２の内部に、方向Ｂ側の被検体内部を照明する複数の発光素子６ａ〜６ｄを実装した照明基板１９ｆと、発光素子６ａ〜６ｄによって照明された被検体内部の画像を結像する光学ユニット７と、光学ユニット７によって結像された被検体内部の画像（すなわち方向Ｂ側の体内画像）を撮像する固体撮像素子８を実装した撮像基板１９ｅと、を有する。また、カプセル型内視鏡１は、筐体２の内部に、かかる固体撮像素子５，８によって撮像された各体内画像をアンテナ９ｂを介して外部に無線送信する無線ユニット９ａを実装した無線基板１９ｄと、かかる撮像機能および無線通信機能を制御する制御部１０を実装した制御基板１９ｃと、を有する。
【００２１】
また、カプセル型内視鏡１は、筐体２の内部に、複数の発光素子３ａ〜３ｄ，６ａ〜６ｄと固体撮像素子５，８と無線ユニット９ａと制御部１０とに対して電力を供給するための電源系、すなわち磁気スイッチ１１ａ等の各種回路部品と、電池１２ａ，１２ｂと、電源基板１８ａ，１８ｂと、かかる電池１２ａ，１２ｂと電源基板１８ａ，１８ｂとを通電可能に接続する接点ばね１３ａ，１３ｂと、を有する。さらに、カプセル型内視鏡１は、筐体２の内部に、筐体２の前端をなす光学ドーム２ｂに対する発光素子３ａ〜３ｄおよび光学ユニット４の各相対位置を決定する位置決め部１４と、筐体２の後端をなす光学ドーム２ｃに対する発光素子６ａ〜６ｄおよび光学ユニット７の各相対位置を決定する位置決め部１５と、接点ばね１３ａの弾性力を受けて位置決め部１４を光学ドーム２ｂに対して固定する荷重受け部１６と、接点ばね１３ｂの弾性力を受けて位置決め部１５を光学ドーム２ｃに対して固定する荷重受け部１７と、を有する。
【００２２】
筐体２は、被検体の臓器内部に導入し易い大きさのカプセル型筐体であり、筒状構造を有する筒状胴部２ａの両側開口端に光学ドーム２ｂ，２ｃを取り付けることによって実現される。筒状胴部２ａは、光学ドーム２ｂ，２ｃに比して大きい外径寸法を有し、かかる光学ドーム２ｂ，２ｃを両側開口端部近傍の内周面に嵌合可能な構造を有する。かかる筒状胴部２ａの両側開口端部近傍の内周面には、光学ドーム２ｂ，２ｃを嵌合した際に光学ドーム２ｂ，２ｃの端面と当接する段部が形成されている。かかる筒状胴部２ａ段部に光学ドーム２ｂ，２ｃの各端面を当接させることによって、筒状胴部２ａに対する光学ドーム２ｂ，２ｃの各相対位置が決定される。
【００２３】
光学ドーム２ｂ，２ｃは、略均一な肉厚で形成された光学的に透明なドーム部材であり、光学ドーム２ｂ，２ｃの開口端近傍の外周面には、筒状胴部２ａの開口端近傍の内周面に設けられた凸部と係合する凹部が形成される。光学ドーム２ｂは、筒状胴部２ａの前方側（図１に示す方向Ｆ側）開口端近傍の内周面に嵌合され、この内周面の凸部と光学ドーム２ｂの凹部とを係止することによって筒状胴部２ａの前方側開口端に取り付けられる。この場合、光学ドーム２ｂの端面は、上述した筒状胴部２ａの内周面における段部と当接した状態である。かかる光学ドーム２ｂは、カプセル型の筐体２の一部（具体的には前端部）を形成する。一方、光学ドーム２ｃは、筒状胴部２ａの後方側（図１に示す方向Ｂ側）開口端近傍の内周面に嵌合され、この内周面の凸部と光学ドーム２ｃの凹部とを係止することによって筒状胴部２ａの後方側開口端に取り付けられる。この場合、光学ドーム２ｃの端面は、上述した筒状胴部２ａの内周面における段部と当接した状態である。かかる光学ドーム２ｃは、カプセル型の筐体２の一部（具体的には後端部）を形成する。かかる筒状胴部２ａおよび光学ドーム２ｂ，２ｃによって形成される筐体２は、図１に示すように、カプセル型内視鏡１の各構成部を液密に収容する。
【００２４】
発光素子３ａ〜３ｄは、方向Ｆ側に位置する被検体内部を照明する照明部として機能する。具体的には、発光素子３ａ〜３ｄは、ＬＥＤ等の発光素子であり、略円盤状に形成されたフレキ基板である照明基板１９ａに実装される。この場合、発光素子３ａ〜３ｄは、図１，２に示すように、照明基板１９ａの開口部に挿通した光学ユニット４のレンズ枠４ｄ（後述する）を囲むように照明基板１９ａ上に実装される。かかる発光素子３ａ〜３ｄは、所定の照明光（例えば白色光）を発光して、前端側の光学ドーム２ｂ越しに方向Ｆ側の被検体内部を照明する。
【００２５】
なお、照明基板１９ａに実装される発光素子の数量は、方向Ｆ側の被検体内部を照明するに十分な光量の照明光を発光可能であれば、特に４つに限定されず、１以上であってもよい。また、上述した発光素子３ａ〜３ｄに例示されるように照明基板１９ａに複数の発光素子を実装する場合、かかる複数の発光素子は、照明基板１９ａの開口部に挿通した光学ユニット４の光軸を中心に回転対称の各位置に実装されることが望ましい。
【００２６】
光学ユニット４は、上述した発光素子３ａ〜３ｄによって照明された方向Ｆ側の被検体内部からの反射光を集光して、この方向Ｆ側の被検体内部の画像を結像する。かかる光学ユニット４は、例えばガラスまたはプラスチックの射出成形等によって形成されたレンズ４ａ，４ｂと、レンズ４ａ，４ｂの間に配置された絞り部４ｃと、かかるレンズ４ａ，４ｂおよび絞り部４ｃを保持するレンズ枠４ｄとによって実現される。
【００２７】
レンズ４ａ，４ｂは、上述した発光素子３ａ〜３ｄによって照明された方向Ｆ側の被検体内部からの反射光を集光して、この方向Ｆ側の被検体内部の画像を固体撮像素子５の受光面に結像する。絞り部４ｃは、かかるレンズ４ａ，４ｂによって集光される反射光の明るさを好適なものに絞る（調整する）。レンズ枠４ｄは、両端が開口した筒状構造を有し、筒内部にレンズ４ａ，４ｂおよび絞り部４ｃを保持する。かかるレンズ枠４ｄは、照明基板１９ａに形成された開口部に挿通された態様で位置決め部１４の板状部１４ａ（後述する）の貫通孔に嵌合固定される。この場合、レンズ枠４ｄは、上端部（レンズ４ａ側の開口端部）および胴部を照明基板１９ａ側に突出させるとともに、板状部１４ａの貫通孔の周縁部に下端部を係止させる。このように位置決め部１４の板状部１４ａに固定されたレンズ枠４ｄは、位置決め部１４によって決定される所定の位置（すなわち光学ドーム２ｂに対する好適な相対位置）にレンズ４ａ，４ｂを保持する。かかるレンズ４ａ，４ｂは、筐体２の長手方向の中心軸ＣＬと光軸とを一致させることができる。
【００２８】
ここで、かかるレンズ枠４ｄに保持されるレンズ４ｂは、図１に示すように脚部を有し、この脚部を固体撮像素子５の受光側素子面に当て付けることによって、レンズ４ｂと固体撮像素子５との光軸方向の位置関係を決定している。このようにレンズ４ｂの脚部が固体撮像素子５の受光側素子面に当接した状態において、レンズ枠４ｄの下端部と撮像基板１９ｂとの間にはクリアランスが形成される。かかるクリアランスには所定の接着剤が充填され、この接着剤によって、レンズ枠４ｄの下端部と撮像基板１９ｂとが接着される。また、かかる接着剤およびレンズ枠４ｄは、レンズ４ａ，４ｂおよび固体撮像素子５の受光面に対して不必要な光が入射しないように遮光する。
【００２９】
固体撮像素子５は、受光面を有するＣＣＤまたはＣＭＯＳ等の固体撮像素子であり、上述した発光素子３ａ〜３ｄによって照明された方向Ｆ側の被検体内部の画像を撮像する撮像部として機能する。具体的には、固体撮像素子５は、略円盤状に形成されたフレキ基板である撮像基板１９ｂに実装（例えばフリップチップ実装）され、この撮像基板１９ｂの開口部を介してレンズ４ｂと受光面とを対向させる。この場合、固体撮像素子５は、上述したように受光側素子面とレンズ４ｂの脚部とを当接させ、撮像基板１９ｂとレンズ枠４ｄの下端部との接着によって、このレンズ４ｂの脚部との当接状態を維持しつつ光学ユニット４に対して固定配置される。かかる固体撮像素子５は、上述したレンズ４ａ，４ｂによって集光された被検体内部からの反射光を受光面を介して受光し、かかるレンズ４ａ，４ｂによって受光面に結像された被検体内部の画像（すなわち方向Ｆ側の体内画像）を撮像する。
【００３０】
発光素子６ａ〜６ｄは、方向Ｂ側に位置する被検体内部を照明する照明部として機能する。具体的には、発光素子６ａ〜６ｄは、ＬＥＤ等の発光素子であり、略円盤状に形成されたフレキ基板である照明基板１９ｆに実装される。この場合、発光素子６ａ〜６ｄは、図１，３に示すように、照明基板１９ｆの開口部に挿通した光学ユニット７のレンズ枠７ｄ（後述する）を囲むように照明基板１９ｆ上に実装される。かかる発光素子６ａ〜６ｄは、所定の照明光（例えば白色光）を発光して、後端側の光学ドーム２ｃ越しに方向Ｂ側の被検体内部を照明する。
【００３１】
なお、照明基板１９ｆに実装される発光素子の数量は、方向Ｂ側の被検体内部を照明するに十分な光量の照明光を発光可能であれば、特に４つに限定されず、１以上であってもよい。また、上述した発光素子６ａ〜６ｄに例示されるように照明基板１９ｆに複数の発光素子を実装する場合、かかる複数の発光素子は、照明基板１９ｆの開口部に挿通した光学ユニット７の光軸を中心に回転対称の各位置に実装されることが望ましい。
【００３２】
光学ユニット７は、上述した発光素子６ａ〜６ｄによって照明された方向Ｂ側の被検体内部からの反射光を集光して、この方向Ｂ側の被検体内部の画像を結像する。かかる光学ユニット７は、例えばガラスまたはプラスチックの射出成形等によって形成されたレンズ７ａ，７ｂと、レンズ７ａ，７ｂの間に配置された絞り部７ｃと、かかるレンズ７ａ，７ｂおよび絞り部７ｃを保持するレンズ枠７ｄとによって実現される。
【００３３】
レンズ７ａ，７ｂは、上述した発光素子６ａ〜６ｄによって照明された方向Ｂ側の被検体内部からの反射光を集光して、この方向Ｂ側の被検体内部の画像を固体撮像素子８の受光面に結像する。絞り部７ｃは、かかるレンズ７ａ，７ｂによって集光される反射光の明るさを好適なものに絞る（調整する）。レンズ枠７ｄは、両端が開口した筒状構造を有し、筒内部にレンズ７ａ，７ｂおよび絞り部７ｃを保持する。かかるレンズ枠７ｄは、照明基板１９ｆに形成された開口部に挿通された態様で位置決め部１５の板状部１５ａ（後述する）の貫通孔に嵌合固定される。この場合、レンズ枠７ｄは、上端部（レンズ７ａ側の開口端部）および胴部を照明基板１９ｆ側に突出させるとともに、板状部１５ａの貫通孔の周縁部に下端部を係止させる。このように位置決め部１５の板状部１５ａに固定されたレンズ枠７ｄは、位置決め部１５によって決定される所定の位置（すなわち光学ドーム２ｃに対する好適な相対位置）にレンズ７ａ，７ｂを保持する。かかるレンズ７ａ，７ｂは、筐体２の長手方向の中心軸ＣＬと光軸とを一致させることができる。
【００３４】
ここで、かかるレンズ枠７ｄに保持されるレンズ７ｂは、上述した光学ユニット４のレンズ４ｂと同様に脚部（図１を参照）を有し、この脚部を固体撮像素子８の受光側素子面に当て付けることによって、レンズ７ｂと固体撮像素子８との光軸方向の位置関係を決定している。このようにレンズ７ｂの脚部が固体撮像素子８の受光側素子面に当接した状態において、レンズ枠７ｄの下端部と撮像基板１９ｅとの間にはクリアランスが形成される。かかるクリアランスには所定の接着剤が充填され、この接着剤によって、レンズ枠７ｄの下端部と撮像基板１９ｅとが接着される。また、かかる接着剤およびレンズ枠７ｄは、レンズ７ａ，７ｂおよび固体撮像素子８の受光面に対して不必要な光が入射しないように遮光する。
【００３５】
固体撮像素子８は、受光面を有するＣＣＤまたはＣＭＯＳ等の固体撮像素子であり、上述した発光素子６ａ〜６ｄによって照明された方向Ｂ側の被検体内部の画像を撮像する撮像部として機能する。具体的には、固体撮像素子８は、略円盤状に形成されたフレキ基板である撮像基板１９ｅに実装（例えばフリップチップ実装）され、この撮像基板１９ｅの開口部を介してレンズ７ｂと受光面とを対向させる。この場合、固体撮像素子８は、上述したように受光側素子面とレンズ７ｂの脚部とを当接させ、撮像基板１９ｅとレンズ枠７ｄの下端部との接着によって、このレンズ７ｂの脚部との当接状態を維持しつつ光学ユニット７に対して固定配置される。かかる固体撮像素子８は、上述したレンズ７ａ，７ｂによって集光された被検体内部からの反射光を受光面を介して受光し、かかるレンズ７ａ，７ｂによって受光面に結像された被検体内部の画像（すなわち方向Ｂ側の体内画像）を撮像する。
【００３６】
無線ユニット９ａおよびアンテナ９ｂは、上述した固体撮像素子５，８によって撮像された方向Ｆ側または方向Ｂ側の各体内画像を外部に無線送信する無線通信機能を実現するためのものである。具体的には、無線ユニット９ａは、略円盤状に形成されたフレキ基板である無線基板１９ｄに実装され、上述した固体撮像素子８を実装した撮像基板１９ｅと対向する態様で筐体２の内部に配置される。アンテナ９ｂは、図１，３に示すように、位置決め部１５の板状部１５ａの面上に固定された照明基板１９ｆ上に固定配置され、無線基板１９ｄおよび照明基板１９ｆ等を介して無線ユニット９ａと接続される。この場合、アンテナ９ｂは、後端側の光学ドーム２ｃと対向する照明基板１９ｆの外縁部であって上述した発光素子６ａ〜６ｄに比して外側に固定配置される。
【００３７】
無線ユニット９ａは、固体撮像素子５によって撮像された方向Ｆ側の体内画像を含む画像信号を取得した場合、その都度、取得した画像信号に対して変調処理等を行って方向Ｆ側の体内画像を含む無線信号を生成し、この生成した無線信号をアンテナ９ｂを介して外部に送信する。一方、無線ユニット９ａは、固体撮像素子８によって撮像された方向Ｂ側の体内画像を含む画像信号を取得した場合、その都度、取得した画像信号に対して変調処理等を行って方向Ｂ側の体内画像を含む無線信号を生成し、この生成した無線信号をアンテナ９ｂを介して外部に送信する。かかる無線ユニット９ａは、制御部１０の制御に基づいて、方向Ｆ側の体内画像を含む無線信号と方向Ｂ側の体内画像を含む無線信号とを交互に生成し、生成した各無線信号を交互に送信する。
【００３８】
制御部１０は、ＤＳＰ等のプロセッサであり、略円盤状に形成されたリジッド基板である制御基板１９ｃに実装された状態で筐体２内部の略中央に配置される。制御部１０は、制御基板１９ｃおよびフレキ基板を介して照明基板１９ａ，１９ｆ、撮像基板１９ｂ，１９ｅ、および無線基板１９ｄと電気的に接続され、照明基板１９ａに実装された発光素子３ａ〜３ｄと、照明基板１９ｆに実装された発光素子６ａ〜６ｄと、撮像基板１９ｂ，１９ｅにそれぞれ実装された固体撮像素子５，８と、無線基板１９ｄに実装された無線ユニット９ａとを制御する。具体的には、制御部１０は、発光素子３ａ〜３ｄの発光動作に同期して固体撮像素子５が方向Ｆ側の体内画像を所定時間毎に撮像するように、発光素子３ａ〜３ｄと固体撮像素子５との動作タイミングを制御する。同様に、制御部１０は、発光素子６ａ〜６ｄの発光動作に同期して固体撮像素子８が方向Ｂ側の体内画像を所定時間毎に撮像するように、発光素子６ａ〜６ｄと固体撮像素子８との動作タイミングを制御する。また、制御部１０は、かかる方向Ｆ側の体内画像と方向Ｂ側の体内画像とを交互に無線送信するように、無線ユニット９ａを制御する。なお、制御部１０は、ホワイトバランス等の画像処理に関する各種パラメータを有し、固体撮像素子５が撮像した方向Ｆ側の体内画像を含む画像信号と固体撮像素子８が撮像した方向Ｂ側の体内画像を含む画像信号とを順次生成する画像処理機能を有する。
【００３９】
一方、かかる制御基板１９ｃには、制御部１０が実装された基板面と反対側の基板面に電源系の回路部品、すなわち磁気スイッチ１１ａ等の各種回路部品が実装される。図４は、制御基板１９ｃに電源系の回路部品が実装された状態を例示する模式図である。図１,４に示すように、制御基板１９ｃの一基板面には、電源系の回路部品として、例えば、磁気スイッチ１１ａとコンデンサ１１ｂ，１１ｃと電源ＩＣ１１ｄとが実装される。この場合、コンデンサ１１ｂ，１１ｃおよび電源ＩＣ１１ｄは制御基板１９ｃに表面実装され、磁気スイッチ１１ａは、その両端部から延出したリード線によって電源ＩＣ１１ｄを跨ぐ態様で制御基板１９ｃに実装される。かかる磁気スイッチ１１ａは、所定方向の外部磁場を印加することによってオンオフ状態を切り替え、オン状態の場合に、発光素子３ａ〜３ｄ，６ａ〜６ｄと固体撮像素子５，８と無線ユニット９ａと制御部１０とに対して電池１２ａ，１２ｂからの電力を供給開始し、オフ状態の場合に、かかる電池１２ａ，１２ｂからの電力を供給停止する。一方、電源ＩＣ１１ｄは、かかる磁気スイッチ１１ａを介した各構成部への電力供給を制御する電源制御機能を有する。
【００４０】
電池１２ａ，１２ｂは、上述した発光素子３ａ〜３ｄ，６ａ〜６ｄ、固体撮像素子５，８、無線ユニット９ａ、および制御部１０を動作させるための電力を生成する。具体的には、電池１２ａ，１２ｂは、例えば酸化銀電池等のボタン型乾電池であり、図１に示すように、荷重受け部１６，１７の間に配置される態様で位置決め部１４の端部と荷重受け部１７の端部とによって把持される。ここで、かかる電池１２ａ，１２ｂにそれぞれ対向する荷重受け部１６、１７の各面には、フレキ基板等を介して制御基板１９ｃと電気的に接続される電源基板１８ａ，１８ｂがそれぞれ設けられる。また、かかる電源基板１８ａ、１８ｂには、導電性の接点ばね１３ａ，１３ｂがそれぞれ設けられる。かかる荷重受け部１６，１７の間に配置された電池１２ａ，１２ｂは、接点ばね１３ａ，１３ｂを収縮させた状態で位置決め部１４の端部と荷重受け部１７の端部とによって把持され、収縮状態の接点ばね１３ａ，１３ｂおよび電源基板１８ａ，１８ｂを介して制御基板１９ｃ上の電源系の回路部品（磁気スイッチ１１ａ、コンデンサ１１ｂ，１１ｃ、および電源ＩＣ１１ｄ）と電気的に接続される。なお、筐体２内部に配置される電池の数量は、必要な電力を供給可能な程度であればよく、特に２つに限定されない。
【００４１】
位置決め部１４は、発光素子３ａ〜３ｄを実装した照明基板１９ａと光学ユニット４とが固定配置され、前端側の光学ドーム２ｂの内周面に嵌合固定される。この光学ドーム２ｂの内周面に嵌合固定した位置決め部１４は、光学ドーム２ｂと発光素子３ａ〜３ｄと光学ユニット４との位置関係を固定して、光学ドーム２ｂに対する発光素子３ａ〜３ｄおよび光学ユニット４の好適な各相対位置を決定する。かかる位置決め部１４は、光学ドーム２ｂの内周面に嵌合される板状部１４ａと、この板状部１４ａを光学ドーム２ｂの内周面における所定位置に固定するための突起部１４ｂとによって形成される。
【００４２】
板状部１４ａは、光学ドーム２ｂの内径寸法に合わせた外径寸法を有する略円盤形状の板部材であり、光学ドーム２ｂの内周面に嵌合する外周面を有する。また、板状部１４ａには、上述した照明基板１９ａおよび光学ユニット４が固定配置される。具体的には、板状部１４ａは、光学ドーム２ｂの内周面に嵌合された場合に光学ドーム２ｂに対向する面上に照明基板１９ａを固定配置する。また、板状部１４ａは、照明基板１９ａに形成された開口部に連通する貫通孔を略面中心部に有し、この貫通孔に光学ユニット４のレンズ枠４ｄを挿入固定（例えば嵌合固定）する。なお、かかる板状部１４ａの貫通孔に挿入固定されたレンズ枠４ｄは、上述したように、照明基板１９ａの開口部に挿通した態様で照明基板１９ａ側に上端部および胴部を突出させる。かかる板状部１４ａは、レンズ枠４ｄの上端部に比して低い位置に発光素子３ａ〜３ｄの各上端部が位置するように、レンズ枠４ｄと発光素子３ａ〜３ｄとの位置関係を固定する。
【００４３】
突起部１４ｂは、上述した板状部１４ａから突起し、光学ドーム２ｂの開口端部に係止して光学ドーム２ｂの内周面に板状部１４ａを固定する。具体的には、突起部１４ｂは、板状部１４ａと一体的に形成され、照明基板１９ａが固定配置された板状部１４ａの面の裏面から突起する。かかる突起部１４ｂは、光学ドーム２ｂの内径寸法に合わせた外径寸法（すなわち板状部１４ａと同等の外径寸法）の筒状構造を有し、この筒状構造の開口端部に、光学ドーム２ｂの開口端部と係合するフランジ部を有する。このような構造を有する突起部１４ｂは、上述した板状部１４ａとともに光学ドーム２ｂの内周面に嵌合されつつ、光学ドーム２ｂの開口端部にフランジ部を係止する。これによって、突起部１４ｂは、光学ドーム２ｂの内周面における所定位置に板状部１４ａを固定する。
【００４４】
位置決め部１５は、発光素子６ａ〜６ｄを実装した照明基板１９ｆと光学ユニット７とが固定配置され、後端側の光学ドーム２ｃの内周面に嵌合固定される。この光学ドーム２ｃの内周面に嵌合固定した位置決め部１５は、光学ドーム２ｃと発光素子６ａ〜６ｄと光学ユニット７との位置関係を固定して、光学ドーム２ｃに対する発光素子６ａ〜６ｄおよび光学ユニット７の好適な各相対位置を決定する。かかる位置決め部１５は、光学ドーム２ｃの内周面に嵌合される板状部１５ａと、この板状部１５ａを光学ドーム２ｃの内周面における所定位置に固定するための突起部１５ｂとによって形成される。
【００４５】
板状部１５ａは、光学ドーム２ｃの内径寸法に合わせた外径寸法を有する略円盤形状の板部材であり、光学ドーム２ｃの内周面に嵌合する外周面を有する。また、板状部１５ａには、上述した照明基板１９ｆおよび光学ユニット７が固定配置される。具体的には、板状部１５ａは、光学ドーム２ｃの内周面に嵌合された場合に光学ドーム２ｃに対向する面上に照明基板１９ｆを固定配置する。また、板状部１５ａは、照明基板１９ｆに形成された開口部に連通する貫通孔を略面中心部に有し、この貫通孔に光学ユニット７のレンズ枠７ｄを挿入固定（例えば嵌合固定）する。なお、かかる板状部１５ａの貫通孔に挿入固定されたレンズ枠７ｄは、上述したように、照明基板１９ｆの開口部に挿通した態様で照明基板１９ｆ側に上端部および胴部を突出させる。かかる板状部１５ａは、レンズ枠７ｄの上端部に比して低い位置に発光素子６ａ〜６ｄの各上端部が位置するように、レンズ枠７ｄと発光素子６ａ〜６ｄとの位置関係を固定する。
【００４６】
突起部１５ｂは、上述した板状部１５ａから突起し、光学ドーム２ｃの開口端部に係止して光学ドーム２ｃの内周面に板状部１５ａを固定する。具体的には、突起部１５ｂは、板状部１５ａと一体的に形成され、照明基板１９ｆが固定配置された板状部１５ａの面の裏面から突起する。かかる突起部１５ｂは、光学ドーム２ｃの内径寸法に合わせた外径寸法（すなわち板状部１５ａと同等の外径寸法）の筒状構造を有し、この筒状構造の開口端部に、光学ドーム２ｃの開口端部と係合するフランジ部を有する。このような構造を有する突起部１５ｂは、上述した板状部１５ａとともに光学ドーム２ｃの内周面に嵌合されつつ、光学ドーム２ｃの開口端部にフランジ部を係止する。これによって、突起部１５ｂは、光学ドーム２ｃの内周面における所定位置に板状部１５ａを固定する。
【００４７】
荷重受け部１６は、上述した接点ばね１３ａの弾性力（弾発力）を受け、この弾性力によって位置決め部１４を光学ドーム２ｂの開口端部に押圧固定する。具体的には、荷重受け部１６は、位置決め部１４の突起部１４ｂの内周側に形成された段部に外縁部を係合させる略円盤形状の板部材であり、上述したように、電池１２ａに対向する面上に電源基板１８ａおよび接点ばね１３ａを有する。かかる荷重受け部１６は、上述した接点ばね１３ａの収縮に伴って発生した接点ばね１３ａの弾性力を受け、この接点ばね１３ａの弾性力によって突起部１４ｂのフランジ部を光学ドーム２ｂの開口端部に押圧固定する。この場合、荷重受け部１６は、光学ドーム２ｂの開口端部に対して突起部１４ｂを押圧固定することによって、この突起部１４ｂと一体的な板状部１４ａを光学ドーム２ｂの内周面における所定位置に嵌合固定する。
【００４８】
なお、かかる荷重受け部１６には、図１に示すように、撮像基板１９ｂに実装されたコンデンサ等の回路部品との接触を回避するための貫通孔が設けられる。また、荷重受け部１６が突起部１４ｂの内周側段部に係合された場合、かかる荷重受け部１６および位置決め部１４は、図１に示すように、レンズ４ｂの脚部に当接した状態の固体撮像素子５と、レンズ枠４ｄの下端部に対して固定された状態の撮像基板１９ｂとを配置するに十分な空間を形成する。
【００４９】
荷重受け部１７は、上述した接点ばね１３ｂの弾性力（弾発力）を受け、この弾性力によって位置決め部１５を光学ドーム２ｃの開口端部に押圧固定する。具体的には、荷重受け部１７は、筐体２の筒状胴部２ａの内径寸法に比して若干小さい外径寸法を有する筒状構造部を有し、この筒状構造部の一方の開口端側に、上述した電池１２ｂに対向する板状部を有する部材である。
【００５０】
かかる荷重受け部１７の筒状構造部は、筐体２の内部に所定の空間を形成するスペーサとして機能するものであり、その他方の開口端部を位置決め部１５の突起部１５ｂの開口端部（フランジ部）に係合させる。この場合、荷重受け部１７の筒状構造部および位置決め部１５は、図１に示すように、制御部１０および磁気スイッチ１１ａ等の回路部品を実装した制御基板１９ｃと、無線ユニット９ａを実装した無線基板１９ｄと、レンズ７ｂの脚部に当接した状態の固体撮像素子８と、レンズ枠７ｄの下端部に対して固定された状態の撮像基板１９ｅとを配置するに十分な空間を形成する。
【００５１】
一方、荷重受け部１７の板状部は、荷重受け部１７の筒状構造部の一開口端側に一体的に形成され、図１に示すように、電池１２ｂに対向する面上に電源基板１８ｂおよび接点ばね１３ｂを有する。また、荷重受け部１７の板状部は、上述した荷重受け部１７の筒状構造部によって形成された空間に配置した制御基板１９ｃに実装されているコンデンサ等の回路部品との接触を防止するための貫通孔を有する。かかる荷重受け部１７の板状部は、上述した接点ばね１３ｂの収縮に伴って発生した接点ばね１３ｂの弾性力を受け、この接点ばね１３ｂの弾性力によって荷重受け部１７の筒状構造部を位置決め部１５の突起部１５ｂの開口端部に押圧する。
【００５２】
かかる筒状構造部および板状部を有する荷重受け部１７は、上述した接点ばね１３ｂの弾性力によって、突起部１５ｂのフランジ部を光学ドーム２ｃの開口端部に押圧固定する。この場合、荷重受け部１７は、光学ドーム２ｃの開口端部に対して突起部１５ｂを押圧固定することによって、この突起部１５ｂと一体的な板状部１５ａを光学ドーム２ｃの内周面における所定位置に嵌合固定する。
【００５３】
つぎに、カプセル型内視鏡１の筐体２内部に配置される一連の回路基板（具体的には、照明基板１９ａ，１９ｆ、撮像基板１９ｂ，１９ｅ、制御基板１９ｃ、および無線基板１９ｄ）について説明する。図５は、カプセル型内視鏡１の筐体２内部に畳まれた態様で配置される一連の回路基板を展開した状態を例示する模式図である。なお、以下では、図５に図示したフレキ基板またはリジッド基板の各基板面を表側の基板面（表基板面）と定義し、かかる図示された表基板面の裏面を裏側の基板面（裏基板面）と定義する。
【００５４】
図５に示すように、カプセル型内視鏡１の筐体２内部に配置される一連の回路基板２０は、照明基板１９ａと撮像基板１９ｂとを連結した態様の一連のフレキ基板２０ａと、リジッド基板である制御基板１９ｃと、無線基板１９ｄと撮像基板１９ｅと照明基板１９ｆとを連結した態様の一連のフレキ基板２０ｂとを電気的に接続することによって実現される。
【００５５】
照明基板１９ａは、カプセル型内視鏡１の方向Ｆ側の被写体を照明する照明機能を実現するための回路が形成された略円盤形状のフレキ基板である。照明基板１９ａの表基板面には、上述した複数の発光素子３ａ〜３ｄが実装され、かかる発光素子３ａ〜３ｄによって囲まれる照明基板１９ａの基板面中心部には、固体撮像素子５に脚部を当接した状態のレンズ４ｂを有する光学ユニット４のレンズ枠４ｄを挿入するための開口部Ｈ１が形成される。かかる照明基板１９ａは、外縁部から延出したフレキ基板部である延出部Ａ１を介して撮像基板１９ｂと電気的に接続される。
【００５６】
撮像基板１９ｂは、方向Ｆ側の体内画像を撮像する撮像機能を実現するための回路が形成された略円盤形状のフレキ基板である。撮像基板１９ｂの表基板面には、上述した固体撮像素子５がフリップチップ実装され、さらに、コンデンサ等の回路部品が必要に応じて実装される。なお、撮像基板１９ｂには、図５の点線によって例示されるように、かかるフリップチップ実装された固体撮像素子５の受光面に方向Ｆ側の被検体内部からの反射光を入射するための開口部が形成される。ここで、特に図５には図示されていないが、この撮像基板１９ｂの裏基板面には、図１に示したように、この撮像基板１９ｂの開口部を介して固体撮像素子５の受光側素子面にレンズ４ｂの脚部を当接させた光学ユニット４のレンズ枠４ｄの下端部が固定される。かかる撮像基板１９ｂは、外縁部から延出したフレキ基板部である延出部Ａ２を介して制御基板１９ｃと電気的に接続される。
【００５７】
制御基板１９ｃは、磁気スイッチ１１ａ等の電源系および制御部１０に必要な回路が形成された略円盤形状のリジッド基板である。制御基板１９ｃの表基板面には、上述した制御部１０が実装され、さらに、コンデンサ等の回路部品が必要に応じて実装される。一方、制御基板１９ｃの裏基板面には、図４に示したように、電源系の回路部品である磁気スイッチ１１ａ、コンデンサ１１ｂ，１１ｃ、および電源ＩＣ１１ｄが実装される。かかる制御基板１９ｃは、後述する無線基板１９ｄの外縁部から延出したフレキ基板部である延出部Ａ３を介して無線基板１９ｄと電気的に接続される。なお、特に図５には図示しないが、制御基板１９ｃは、フレキ基板等（図示せず）を介して、上述した電源基板１８ａ，１８ｂと電気的に接続される。
【００５８】
無線基板１９ｄは、方向Ｆ側の体内画像と方向Ｂ側の体内画像とを順次外部に無線送信する無線通信機能を実現するための回路が形成された略円盤形状のフレキ基板である。無線基板１９ｄの表基板面には、上述した無線ユニット９ａが実装される。なお、特に図５には図示されていないが、この無線基板１９ｄは、図１，３に示したように照明基板１９ｆの外縁部に固定配置されたアンテナ９ｂと電気的に接続される。かかる無線基板１９ｄは、外縁部から延出したフレキ基板部である延出部Ａ４を介して撮像基板１９ｅと電気的に接続される。
【００５９】
撮像基板１９ｅは、方向Ｂ側の体内画像を撮像する撮像機能を実現するための回路が形成された略円盤形状のフレキ基板である。撮像基板１９ｅの表基板面には、上述した固体撮像素子８がフリップチップ実装され、さらに、コンデンサ等の回路部品が必要に応じて実装される。なお、撮像基板１９ｅには、図５の点線によって例示されるように、かかるフリップチップ実装された固体撮像素子８の受光面に方向Ｂ側の被検体内部からの反射光を入射するための開口部が形成される。ここで、特に図５には図示されていないが、この撮像基板１９ｅの裏基板面には、図１に示したように、この撮像基板１９ｅの開口部を介して固体撮像素子８の受光側素子面にレンズ７ｂの脚部を当接させた光学ユニット７のレンズ枠７ｄの下端部が固定される。かかる撮像基板１９ｅは、外縁部から延出したフレキ基板部である延出部Ａ５を介して照明基板１９ｆと電気的に接続される。
【００６０】
照明基板１９ｆは、カプセル型内視鏡１の方向Ｂ側の被写体を照明する照明機能を実現するための回路が形成された略円盤形状のフレキ基板である。照明基板１９ｆの表基板面には、上述した複数の発光素子６ａ〜６ｄが実装され、かかる発光素子６ａ〜６ｄによって囲まれる照明基板１９ｆの基板面中心部には、固体撮像素子８に脚部を当接した状態のレンズ７ｂを有する光学ユニット７のレンズ枠７ｄを挿入するための開口部Ｈ２が形成される。
【００６１】
ここで、一連のフレキ基板２０ａは、上述した照明基板１９ａおよび撮像基板１９ｂを有する一体的なフレキ基板であり、制御基板１９ｃに接続するための延出部Ａ２を外縁部から延出した撮像基板１９ｂと照明基板１９ａとを延出部Ａ１を介して接続した基板構造を有する。一方、一連のフレキ基板２０ｂは、上述した無線基板１９ｄと撮像基板１９ｅと照明基板１９ｆとを有する一体的なフレキ基板であり、制御基板１９ｃに接続するための延出部Ａ３を外縁部から延出した無線基板１９ｄと撮像基板１９ｅとを延出部Ａ４を介して接続した基板構造と、この撮像基板１９ｅと照明基板１９ｆとを延出部Ａ５を介して接続した基板構造とを有する。そして、カプセル型内視鏡１の筐体２内部に配置される一連の回路基板２０は、かかる一連のフレキ基板２０ａ，２０ｂと制御基板１９ｃとを延出部Ａ２，Ａ３を介して接続することによって実現される。
【００６２】
つぎに、本発明の実施の形態１にかかるカプセル型内視鏡１の製造方法について説明する。カプセル型内視鏡１は、図５に示した一連の回路基板２０を作製し、この作製した一連の回路基板２０と位置決め部１４，１５と荷重受け部１６，１７と電池１２ａ，１２ｂとを組み合わせることによって機能ユニットを作製し、この作製した機能ユニットを筐体２の内部に配置することによって製造される。
【００６３】
詳細には、まず、一連のフレキ基板２０ａの照明基板１９ａおよび撮像基板１９ｂに対して必要な部品を実装し、制御基板１９ｃに対して必要な部品を実装し、一連のフレキ基板２０ｂの無線基板１９ｄ、撮像基板１９ｅ、および照明基板１９ｆに対して必要な部品を実装する。この場合、一連のフレキ基板２０ａにおいて、照明基板１９ａの表基板面には複数の発光素子３ａ〜３ｄが実装され、撮像基板１９ｂの表基板面には固体撮像素子５とコンデンサ等の回路部品とが実装され、撮像基板１９ｂの裏基板面には固体撮像素子５とレンズ４ｂの脚部とを当接させる態様で光学ユニット４が実装される。また、一連のフレキ基板２０ｂにおいて、照明基板１９ｆの表基板面には複数の発光素子６ａ〜６ｄとアンテナ９ｂとが実装され、撮像基板１９ｅの表基板面には固体撮像素子８とコンデンサ等の回路部品とが実装され、撮像基板１９ｅの裏基板面には固体撮像素子８とレンズ７ｂの脚部とを当接させる態様で光学ユニット７が実装される。一方、制御基板１９ｃの表基板面には制御部１０とコンデンサ等の回路部品とが実装され、制御基板１９ｃの裏基板面には磁気スイッチ１１ａ等の電源系の回路部品が実装される。かかる一連のフレキ基板２０ａ，２０ｂと制御基板１９ｃとを接続することによって、一連の回路基板２０が作製される。
【００６４】
ここで、光学ユニット４のレンズ枠４ｄは、上述した位置決め部１４に対して別体であり、図１に示したように位置決め部１４（具体的には板状部１４ａ）の貫通孔に嵌合固定する前に、撮像基板１９ｂの裏基板面に実装される。このため、かかる撮像基板１９ｂとレンズ枠４ｄの下端部とのクリアランスに接着剤を塗布するために必要な作業スペースを十分に確保することができ、この接着剤によって撮像基板１９ｂにレンズ枠４ｄを容易に固定することができる。このことは、撮像基板１９ｅの裏基板面に実装されるレンズ枠７ｄについても同様である。
【００６５】
つぎに、上述したように作製した一連の回路基板２０と位置決め部１４，１５と荷重受け部１６，１７と電池１２ａ，１２ｂとを組み合わせることによって、カプセル型内視鏡１の機能ユニットを作製する。かかる機能ユニットは、図１に示したカプセル型内視鏡１のうちの筐体２を除いたもの（すなわち筐体２の内部に配置されるユニット）である。
【００６６】
かかる機能ユニットにおいて、撮像基板１９ｂに実装された光学ユニット４のレンズ枠４ｄは、位置決め部１４の板状部１４ａに形成された貫通孔に嵌合固定される。この板状部１４ａの一面（光学ドーム２ｂに対向する面）には接合部材として接着剤あるいは両面テープが塗布あるいは貼付され、照明基板１９ａは、開口部Ｈ１にレンズ枠４ｄを挿通した態様で接合部材によって板状部１４ａに固定される。このように照明基板１９ａおよび撮像基板１９ｂ等が取り付けられた位置決め部１４の突起部１４ｂには、荷重受け部１６の外縁部が係合される。この場合、荷重受け部１６は、この撮像基板１９ｂの固体撮像素子５に対向する面の裏面に電源基板１８ａおよび接点ばね１３ａを配する態様で突起部１４ｂに取り付けられる。
【００６７】
一方、撮像基板１９ｅに実装された光学ユニット７のレンズ枠７ｄは、位置決め部１５の板状部１５ａに形成された貫通孔に嵌合固定される。この板状部１５ａの一面（光学ドーム２ｃに対向する面）には接合部材として接着剤あるいは両面テープが塗布あるいは貼付され、照明基板１９ｆは、開口部Ｈ２にレンズ枠７ｄを挿通した態様で接合部材によって板状部１５ａに固定される。このように照明基板１９ｆおよび撮像基板１９ｅ等が取り付けられた位置決め部１５の突起部１５ｂには、荷重受け部１７の筒状構造部の端部が係合される。この場合、荷重受け部１７は、その筒状構造部によって形成された空間内に制御基板１９ｃおよび無線基板１９ｄを配するとともに、上述した荷重受け部１６の電源基板１８ａおよび接点ばね１３ａに対して電源基板１８ｂおよび接点ばね１３ｂをそれぞれ対向可能な態様で突起部１５ｂに取り付けられる。
【００６８】
さらに、上述したように電源基板１８ａおよび接点ばね１３ａに対して電源基板１８ｂおよび接点ばね１３ｂをそれぞれ対向させる荷重受け部１６，１７の間には、電池１２ａ，１２ｂが配置される。この場合、電池１２ａ，１２ｂは、互いの＋極と−極とを接触させた態様で位置決め部１４の突起部１４ｂと荷重受け部１７の端部とによって把持される。かかる電池１２ａ，１２ｂは、接点ばね１３ａ，１３ｂを収縮させるとともに、これら接点ばね１３ａ，１３ｂを介して電源基板１８ａ，１８ｂと電気的に接続される。
【００６９】
以上のようにして、カプセル型内視鏡１の機能ユニットが作製される。なお、かかる機能ユニットに組み込まれた一連の回路基板２０は、所定の態様で畳まれている。この場合、図１に示したように、位置決め部１４の板状部１４ａを介して照明基板１９ａの裏基板面と撮像基板１９ｂの裏基板面とが対向し、荷重受け部１６，１７および電池１２ａ，１２ｂ等を介して撮像基板１９ｂの表基板面と制御基板１９ｃの表基板面とが対向している。また、制御基板１９ｃの裏基板面と無線基板１９ｄの裏基板面とが対向し、無線基板１９ｄの表基板面と撮像基板１９ｅの表基板面とが対向し、位置決め部１５の板状部１５ａを介して撮像基板１９ｅの裏基板面と照明基板１９ｆの裏基板面とが対向している。また、延出部Ａ１は、位置決め部１４に形成された切り欠け部（図示せず）に挿通され、延出部Ａ２は、位置決め部１４の突起部１４ｂおよび荷重受け部１７に形成された各切り欠け部（図示せず）に挿通される。延出部Ａ３は、荷重受け部１７の筒状構造部に形成された切り欠け部（図示せず）に挿通され、延出部Ａ４は、荷重受け部１７の開口端部および位置決め部１５の突起部１５ｂに形成された各切り欠け部（図示せず）に挿通され、延出部Ａ５は、位置決め部１５に形成された切り欠け部（図示せず）に挿通される。
【００７０】
その後、上述した機能ユニットは、カプセル型の筐体２の内部に配置される。すなわち、上述した機能ユニットは筒状胴部２ａの内部に挿入され、この機能ユニットを収容した筒状胴部２ａの両側開口端部に光学ドーム２ｂ，２ｃが取り付けられる。この場合、光学ドーム２ｂ，２ｃは、図１に示したように、筒状胴部２ａの両側開口端近傍の各内周面に嵌合され、接着剤等によって固定される。これによって、図１に示したようなカプセル型内視鏡１が完成する。
【００７１】
つぎに、上述した照明基板１９ａとレンズ枠４ｄとの取り付けについて説明する。図６は、位置決め部１４の板状部１４ａに取り付けたレンズ枠４ｄと照明基板１９ａとの取り付けを説明する模式図である。
【００７２】
上述した図１および図６に示すように、光学ユニット４のレンズ枠４ｄは、一端部（具体的にはレンズ４ａ側の開口端部である上端部Ｅ１）が先細りしたテーパ状の外形を有し、位置決め部１４の板状部１４ａに取り付けられる。この場合、かかるテーパ状の外径を有するレンズ枠４ｄは、先細りした上端部Ｅ１から板状部１４ａの貫通孔に挿入される。このため、かかるレンズ枠４ｄの上端部Ｅ１の外周と板状部１４ａの貫通孔とを容易に位置合わせでき、この結果、レンズ枠４ｄの上端部Ｅ１と光学ドーム２ｂとを対向させる態様で板状部１４ａの貫通孔にレンズ枠４ｄを容易に嵌合固定することができる。
【００７３】
このように位置決め部１４の板状部１４ａに嵌合固定されたレンズ枠４ｄには、上述した照明基板１９ａが取り付けられる。具体的には図６に示すように、照明基板１９ａは、この位置決め部１４に形成された切り欠け部（図示せず）に挿通した延出部Ａ１に連続して、板状部１４ａの上面側（図１に示す光学ドーム２ｂに対向する面側）に配置される。ここで、この延出部Ａ１は、上述したように照明基板１９ａの外周（外縁部）の一部に延出したフレキ基板部であり、折り曲がることによって照明基板１９ａを板状部１４ａの上面に向けて回動可能にする折り曲げ部として機能する。
【００７４】
かかる延出部Ａ１を外周の一部に有する照明基板１９ａは、延出部Ａ１を折り曲げつつ、この延出部Ａ１を回転中心にしてレンズ枠４ｄに開口部Ｈ１を近付ける方向に回転する。かかる照明基板１９ａは、開口部Ｈ１にレンズ枠４ｄを挿入しつつ、板状部１４ａの上面に固定される。このように開口部Ｈ１にレンズ枠４ｄを挿入した態様で板状部１４ａの上面に照明基板１９ａを固定することによって、かかるレンズ枠４ｄと照明基板１９ａとの取り付けが完了する。
【００７５】
ここで、レンズ枠４ｄは、上述したように上端部Ｅ１が先細りしたテーパ状の外形を有するので、延出部Ａ１を折り曲げつつ回転する照明基板１９ａと上端部Ｅ１の外周との接触を回避することができる。この場合、かかるレンズ枠４ｄの上端部Ｅ１は、図６に示すように、延出部Ａ１を回転中心にして板状部１４ａに面接触するまで照明基板１９ａを回転させた場合に開口部Ｈ１の周縁（すなわち開口部Ｈ１を形成する照明基板１９ａの内周）によって描かれる軌跡Ｍ１の内側に位置する。かかるテーパ状の外形を有するレンズ枠４ｄは、照明基板１９ａの開口部Ｈ１と上端部Ｅ１の外周との位置合わせを容易にするとともに、延出部Ａ１を折り曲げつつ回転する照明基板１９ａと上端部Ｅ１の外周との接触を回避しつつ開口部Ｈ１に容易に挿入される。
【００７６】
これに対し、仮にレンズ枠４ｄが円筒状の外形を有し、円筒状のレンズ枠４ｄを照明基板１９ａの開口部Ｈ１に挿入する場合、照明基板１９ａは、図７に示すように、位置決め部１４の板状部１４ａに略平行な状態に配置されるとともに、円筒状の外形を有するレンズ枠４ｄの上端部の外周と開口部Ｈ１とを正確に位置合わせしなければならない。このため、かかるレンズ枠４ｄの上端部の外周と開口部Ｈ１との位置合わせに手間がかかるばかりでなく、図６，７を比較して判るように、上述したテーパ状の外形を有するレンズ枠４ｄを開口部Ｈ１に挿入する場合に比して延出部Ａ１の長さを長くしなければならない。
【００７７】
すなわち、上述したようにレンズ枠４ｄがテーパ状の外形を有することによって、照明基板１９ａの開口部Ｈ１とレンズ枠４ｄの上端部Ｅ１の外周とを容易に位置合わせでき、この結果、照明基板１９ａの開口部Ｈ１にレンズ枠４ｄを容易に挿入できるとともに、この照明基板１９ａの外周の一部に形成された延出部Ａ１の長さを必要最小限に短くすることができる。
【００７８】
なお、図１に示した方向Ｂ側の光学ユニット７のレンズ枠７ｄは、上述した方向Ｆ側の光学ユニット４のレンズ枠４ｄと同様に、一端部（具体的にはレンズ７ａ側の開口端部である上端部）が先細りしたテーパ状の外形を有しているので、レンズ枠４ｄの場合と同様に位置決め部１５の板状部１５ａの貫通孔に容易に挿入固定できる。また、レンズ枠７ｄの外形をテーパ状にすることによって、照明基板１９ｆの開口部Ｈ２にレンズ枠７ｄを容易に挿入できるとともに、この照明基板１９ｆの外周の一部に形成された延出部Ａ５の長さを必要最小限に短くすることができる。
【００７９】
以上、説明したように、本発明の実施の形態１にかかるカプセル型医療装置では、照明部によって照明された被検体内部の画像を撮像部の受光面に結像するレンズ群を保持するレンズ枠の外形をテーパ状に形成し、かかる照明部を実装する照明基板に形成した開口部に比して、このレンズ枠の先細りした一端部の外径寸法を小径にし、この先細りした一端部から照明基板の開口部にレンズ枠を挿入するように構成した。このため、この照明基板の開口部にレンズ枠を挿入する際に開口部とレンズ枠の上端部の外周とを容易に位置合わせすることができ、この結果、このレンズ枠の上端部と照明基板との接触を回避しつつ、この照明基板の開口部にレンズ枠を容易に挿入でき、かかる照明基板とレンズ枠とを容易に取り付けることができる。
【００８０】
また、かかる照明基板の外周の一部に延出した折り曲げ部（延出部）の長さを必要最小限に短くすることができ、この結果、装置規模の小型化を促進できるとともに、当該カプセル型医療装置の製造にかかる基板コストを低減することができる。
【００８１】
さらに、本発明の実施の形態１にかかるカプセル型医療装置では、照明基板、撮像基板、および無線基板等の回路基板としてフレキ基板を採用したため、かかる回路基板としてリジッド基板を採用したカプセル型医療装置に比して装置規模の小型化および軽量化を促進できるとともに、基板コストをさらに低減できる。
【００８２】
（実施の形態２）
つぎに、本発明の実施の形態２について説明する。上述した実施の形態１では、照明基板の開口部に挿入する光学ユニットのレンズ枠の外形をテーパ状に形成していたが、この実施の形態２では、照明基板の外周の一部に延出した延出部に対して遠方側に拡開した開口部を照明基板に形成し、このように拡開した開口部に光学ユニットのレンズ枠を挿入するようにした。
【００８３】
図８は、本発明の実施の形態２にかかるカプセル型内視鏡の一構成例を示す縦断面模式図である。図９は、図８に示す方向Ｆ側から光学ドーム越しに見たカプセル型内視鏡の内部構造を例示する模式図である。図１０は、図８に示す方向Ｂ側から光学ドーム越しに見たカプセル型内視鏡の内部構造を例示する模式図である。図８〜１０に示すように、この実施の形態２にかかるカプセル型内視鏡２１は、上述した実施の形態１にかかるカプセル型内視鏡１の光学ユニット４，７に代えて光学ユニット２４，２７を有し、照明基板１９ａ，１９ｆに代えて照明基板２９ａ，２９ｆを有する。その他の構成は実施の形態１と同じであり、同一構成部分には同一符号を付している。
【００８４】
光学ユニット２４は、上述したテーパ状の外形を有するレンズ枠４ｄに代えてレンズ枠２４ｄを有する。これ以外、光学ユニット２４は、上述した実施の形態１の光学ユニット４と同様の構成を有する。レンズ枠２４ｄは、円筒状の外形を有し、これ以外、上述した光学ユニット４のレンズ枠４ｄと同様の機能および構造を有する。一方、光学ユニット２７は、上述したテーパ状の外形を有するレンズ枠７ｄに代えてレンズ枠２７ｄを有する。これ以外、光学ユニット２７は、上述した実施の形態１の光学ユニット７と同様の構成を有する。レンズ枠２７ｄは、円筒状の外形を有し、これ以外、上述した光学ユニット７のレンズ枠７ｄと同様の機能および構造を有する。
【００８５】
照明基板２９ａは、上述した実施の形態１の照明基板１９ａの開口部Ｈ１（レンズ枠４ｄの胴部に合わせた略円形の開口部）に代えて開口部Ｈ３を有する。開口部Ｈ３は、レンズ枠２４ｄを挿入可能な径寸法の開口をさらに拡開したものである。かかる開口部Ｈ３は、図９に示すように、レンズ枠２４ｄの外径寸法に合った本来の開口を、照明基板２９ａの外周の一部に延出した延出部Ａ１に対して遠方側に長さＬ１だけ拡開することによって形成される。照明基板２９ａは、かかる開口部Ｈ３が形成されたこと以外、上述した照明基板１９ａと同様の機能および構造を有する。
【００８６】
照明基板２９ｆは、上述した実施の形態１の照明基板１９ｆの開口部Ｈ２（レンズ枠７ｄの胴部に合わせた略円形の開口部）に代えて開口部Ｈ４を有する。開口部Ｈ４は、レンズ枠２７ｄを挿入可能な径寸法の開口をさらに拡開したものである。かかる開口部Ｈ４は、図１０に示すように、レンズ枠２７ｄの外径寸法に合った本来の開口を、照明基板２９ｆの外周の一部に延出した延出部Ａ５に対して遠方側に長さＬ２だけ拡開することによって形成される。照明基板２９ｆは、かかる開口部Ｈ４が形成されたこと以外、上述した照明基板１９ｆと同様の機能および構造を有する。
【００８７】
つぎに、上述した照明基板２９ａとレンズ枠２４ｄとの取り付けについて説明する。図１１は、位置決め部１４の板状部１４ａに取り付けたレンズ枠２４ｄと照明基板２９ａとの取り付けを説明する模式図である。
【００８８】
上述した図８および図１１に示すように、光学ユニット２４のレンズ枠２４ｄは、円筒状の外形を有し、位置決め部１４の板状部１４ａに取り付けられる。この場合、レンズ枠２４ｄは、この板状部１４ａに形成された貫通孔に嵌合固定される。また、かかる板状部１４ａに嵌合固定されたレンズ枠２４ｄには、上述した照明基板２９ａが取り付けられる。
【００８９】
具体的には図１１に示すように、照明基板２９ａは、この位置決め部１４に形成された切り欠け部（図示せず）に挿通した延出部Ａ１に連続して、板状部１４ａの上面側（図８に示す光学ドーム２ｂに対向する面側）に配置される。なお、この延出部Ａ１は、上述した実施の形態１の場合と同様に、折り曲がることによって照明基板２９ａを板状部１４ａの上面に向けて回動可能にする折り曲げ部として機能する。
【００９０】
かかる延出部Ａ１を外周の一部に有する照明基板２９ａは、延出部Ａ１を折り曲げつつ、この延出部Ａ１を回転中心にしてレンズ枠２４ｄに開口部Ｈ３を近付ける方向に回転する。かかる照明基板２９ａは、開口部Ｈ３にレンズ枠２４ｄを挿入しつつ、板状部１４ａの上面に固定される。このように開口部Ｈ３にレンズ枠２４ｄを挿入した態様で板状部１４ａの上面に照明基板２９ａを固定することによって、かかるレンズ枠２４ｄと照明基板２９ａとの取り付けが完了する。
【００９１】
ここで、照明基板２９ａは、上述したように延出部Ａ１に対して遠方側に長さＬ１だけ本来の開口（レンズ枠２４ｄの外径寸法に合った開口）を拡開した開口部Ｈ３を有する。かかる開口部Ｈ３は、延出部Ａ１を折り曲げつつ回転する照明基板２９ａとレンズ枠２４ｄの上端部Ｅ２との接触を回避することができる。この場合、かかるレンズ枠２４ｄの上端部Ｅ２は、図１１に示すように、延出部Ａ１を回転中心にして板状部１４ａに面接触するまで照明基板２９ａを回転させた場合に開口部Ｈ３の周縁（すなわち開口部Ｈ３を形成する照明基板２９ａの内周）によって描かれる軌跡Ｍ２の内側に位置する。かかる拡開した開口部Ｈ３を有する照明基板２９ａは、たとえレンズ枠２４ｄが円筒状の外形を有するものであっても、このレンズ枠２４ｄの上端部Ｅ２の外周と開口部Ｈ３との位置合わせを容易にするとともに、この上端部Ｅ２の外周との接触を回避しつつ開口部Ｈ３にレンズ枠２４ｄを容易に挿入する。この結果、上述した実施の形態１の場合と同様に、この照明基板２９ａの外周の一部に形成された延出部Ａ１の長さを必要最小限に短くすることができる。
【００９２】
なお、図８に示した方向Ｂ側の照明基板２９ｆは、上述した方向Ｆ側の照明基板２９ａと同様に、延出部Ａ５に対して遠方側に長さＬ２だけ本来の開口（レンズ枠２７ｄの外径寸法に合った開口）を拡開した開口部Ｈ４を有しているので、照明基板２９ａの場合と同様に、開口部Ｈ４にレンズ枠２７ｄを容易に挿入できるとともに、延出部Ａ５の長さを必要最小限に短くすることができる。
【００９３】
以上、説明したように、本発明の実施の形態２にかかるカプセル型医療装置では、照明基板の外周に形成された折り曲げ部（延出部）に対して遠方側に、光学ユニットのレンズ枠を挿入可能な径寸法の開口を拡開した開口部を照明基板に形成し、この折り曲げ部を回転中心にしてレンズ枠に開口部を近付ける方向に照明基板を回転させて、この照明基板の開口部にレンズ枠を挿入するようにし、その他を上述した実施の形態１と略同様に構成した。このため、たとえ円筒状の外形を有するレンズ枠であっても、照明基板の開口部にレンズ枠を挿入する際に開口部とレンズ枠の上端部の外周とを容易に位置合わせすることができ、この結果、レンズ枠の上端部と照明基板との接触を回避しつつ、この照明基板の開口部にレンズ枠を容易に挿入でき、かかる照明基板とレンズ枠とを容易に取り付けることができる。
【００９４】
また、上述した実施の形態１の場合と同様に、かかる照明基板の外周の一部に延出した折り曲げ部（延出部）の長さを必要最小限に短くすることができ、この結果、装置規模の小型化を促進できるとともに、当該カプセル型医療装置の製造にかかる基板コストを低減することができる。
【００９５】
さらに、照明基板、撮像基板、および無線基板等の回路基板としてフレキ基板を採用したため、かかる回路基板としてリジッド基板を採用したカプセル型医療装置に比して装置規模の小型化および軽量化を促進できるとともに、基板コストをさらに低減できる。
【００９６】
なお、本発明の実施の形態１では、一端部（上端部）が先細りするレンズ枠４ｄ，７ｄの外形は、全外周に亘ってテーパ状であったが、これに限らず、かかる一端部が先細りするレンズ枠４ｄ，７ｄは、外周の片側のみにテーパ状の外形を有するものであってもよい。具体的には、図１２に示すように、レンズ枠４ｄの外形は、延出部Ａ１（折り曲げ部）に対して遠方側を傾斜させたテーパ状の外形であってもよい。この場合、延出部Ａ１に対して同距離となるレンズ枠４ｄの外周上の２直線を境界にして、延出部Ａ１に対して近傍側のレンズ枠４ｄの外形を円筒状にし、延出部Ａ１に対して遠方側のレンズ枠４ｄの外形をテーパ状にすればよい。このことは、光学ユニット７のレンズ枠７ｄについても同様である。
【００９７】
また、本発明の実施の形態２では、円筒状の外形を有するレンズ枠２４ｄ，２７ｄを照明基板２９ａ，２９ｆの拡開した開口部Ｈ３，Ｈ４にそれぞれ挿入していたが、これに限らず、かかる拡開した開口部Ｈ３，Ｈ４に対して、上述した実施の形態１のレンズ枠４ｄ，７ｄに例示されるようなテーパ状の外形を有するレンズ枠を挿入してもよい。すなわち、上述した実施の形態１と実施の形態２とを組み合わせてもよい。
【００９８】
さらに、本発明の実施の形態１，２では、被検体内部に導入されるカプセル型医療装置として、撮像機能および無線通信機能を有し、体内情報の一例である体内画像を取得するカプセル型内視鏡を例示したが、これに限らず、生体内のｐＨ情報を体内情報として計測するカプセル型ｐＨ計測装置であってもよいし、生体内に薬剤を散布または注射する機能を備えたカプセル型薬剤投与装置であってもよいし、体内情報として生体内の物質（体組織等）を採取するカプセル型採取装置であってもよい。
【図面の簡単な説明】
【００９９】
【図１】本発明の実施の形態１にかかるカプセル型内視鏡の一構成例を示す縦断面模式図である。
【図２】図１に示す方向Ｆ側から光学ドーム越しに見たカプセル型内視鏡の内部構造を例示する模式図である。
【図３】図１に示す方向Ｂ側から光学ドーム越しに見たカプセル型内視鏡の内部構造を例示する模式図である。
【図４】制御基板に電源系の回路部品が実装された状態を例示する模式図である。
【図５】カプセル型内視鏡の筐体内部に畳まれた態様で配置される一連の回路基板を展開した状態を例示する模式図である。
【図６】位置決め部の板状部に取り付けたレンズ枠と照明基板との取り付けを説明する模式図である。
【図７】円筒状の外形を有するレンズ枠と照明基板との取り付けの一例を説明する模式図である。
【図８】本発明の実施の形態２にかかるカプセル型内視鏡の一構成例を示す縦断面模式図である。
【図９】図８に示す方向Ｆ側から光学ドーム越しに見たカプセル型内視鏡の内部構造を例示する模式図である。
【図１０】図８に示す方向Ｂ側から光学ドーム越しに見たカプセル型内視鏡の内部構造を例示する模式図である。
【図１１】位置決め部の板状部に取り付けた円筒状のレンズ枠と照明基板との取り付けを説明する模式図である。
【図１２】外周の片側のみにテーパ状の外形を有するレンズ枠を備えたカプセル型内視鏡の一構成例を示す断面模式図である。
【符号の説明】
【０１００】
１，２１  カプセル型内視鏡
２  筐体
２ａ  筒状胴部
２ｂ，２ｃ  光学ドーム
３ａ〜３ｄ，６ａ〜６ｄ  発光素子
４，７，２４，２７  光学ユニット
４ａ，４ｂ，７ａ，７ｂ  レンズ
４ｃ，７ｃ  絞り部
４ｄ，７ｄ，２４ｄ，２７ｄ  レンズ枠
５，８  固体撮像素子
９ａ  無線ユニット
９ｂ  アンテナ
１０  制御部
１１ａ  磁気スイッチ
１１ｂ，１１ｃ  コンデンサ
１１ｄ  電源ＩＣ
１２ａ，１２ｂ  電池
１３ａ，１３ｂ  接点ばね
１４，１５，２４，２５，３４，３５  位置決め部
１４ａ，１５ａ，２４ａ，２５ａ  板状部
１４ｂ，１５ｂ  突起部
１６，１７，３６  荷重受け部
１８ａ，１８ｂ  電源基板
１９ａ，１９ｆ，２９ａ，２９ｆ  照明基板
１９ｂ，１９ｅ  撮像基板
１９ｃ  制御基板
１９ｄ  無線基板
２０  一連の回路基板
２０ａ，２０ｂ  一連のフレキ基板
Ａ１〜Ａ５  延出部
ＣＬ  中心軸
Ｅ１，Ｅ２  上端部
Ｈ１〜Ｈ４  開口部
【図１】
2008246147.tif 000003
【図２】
2008246147.tif 000004
【図３】
2008246147.tif 000005
【図４】
2008246147.tif 000006
【図５】
2008246147.tif 000007
【図６】
2008246147.tif 000008
【図７】
2008246147.tif 000009
【図８】
2008246147.tif 000010
【図９】
2008246147.tif 000011
【図１０】
2008246147.tif 000012
【図１１】
2008246147.tif 000013
【図１２】
2008246147.tif 000014